(57)【要約】【課題】簡素な構成でかつ上がり框周辺の見栄えが損なわれるのを回避しながら、安定した状態でスロープを設置することができるスロープ設置構造を提供する。【解決手段】  建物において、廊下１２の床部３３は、玄関１１の床部２６及び玄関ポーチ１８の床部２７よりも高い位置に設けられている。玄関１１の床部２６と廊下１２の床部３３との間の段差部３９には上がり框４１が設けられている。上がり框４１は、その一部が床部３３の端部３３ｂを覆う所定位置から着脱可能とされ、その一部が所定位置から取り外されることで当該端部３３ｂが露出される。スロープ部材４５は、廊下１２の床部３３と玄関ポーチ１８の床部２７との間に斜めに架け渡されることでスロープを形成する。スロープ部材４５には、その上端部に床部３３の端部３３ｂに着脱可能に取り付けられる床取付部５１が設けられ、その下端部に床部２７に係合される床係合部５２が設けられている。【選択図】図２
2019002181.tif 000002
【特許請求の範囲】
【請求項１】
互いに異なる高さに設けられた下床部及び上床部の間に斜めに架け渡されることでスロープを形成する板状のスロープ部材を備えるスロープ設置構造であって、
前記下床部及び前記上床部の間の段差部には、前記上床部の端部を覆う上がり框が設けられ、
前記上がり框は、その少なくとも一部が前記端部を覆う所定位置から退避可能に設けられ、その退避により露出される露出部分には、前記スロープ部材の上端部に設けられた取付部が取り付けられる被取付部が設けられていることを特徴とするスロープ設置構造。
【請求項２】
前記被取付部は前記上床部の前記端部であり、
前記取付部は、前記端部が挿入される挿入溝部を有し、その挿入溝部に前記端部を挿入させることで当該端部に取り付けられることを特徴とする請求項１に記載のスロープ設置構造。
【請求項３】
前記下床部には、前記スロープ部材の下端部の位置ずれを規制する規制部が設けられていることを特徴とする請求項１又は２に記載のスロープ設置構造。
【請求項４】
前記下床部は、建物出入口を挟んだ屋内外に跨がる土間床からなり、
前記スロープ部材は、前記建物出入口を通じて前記下床部と前記上床部とに架け渡されて設けられることを特徴とする請求項１乃至３のいずれか一項に記載のスロープ設置構造。
【請求項５】
前記上床部の床下には、前記スロープ部材を収納可能な収納空間が形成されており、
前記収納空間は、前記段差部に設けられた開口部を介して前記下床部の床上空間に開口しており、
前記上がり框には、前記上床部よりも下方に延出する延出部が設けられ、
前記収納空間において前記スロープ部材を前記上床部の下面に対向させた状態で支持する支持部を有しており、
前記支持部は、前記スロープ部材を前記延出部と同じ高さ位置で支持することを特徴とする請求項１乃至４のいずれか一項に記載のスロープ設置構造。
【請求項６】
前記上床部の床下には、前記スロープ部材を収納可能な収納空間が形成されており、
前記収納空間は、前記段差部に設けられた開口部を介して前記下床部の床上空間に開口しており、
前記上がり框には、前記開口部を閉鎖するための閉鎖板が一体で設けられていることを特徴とする請求項１乃至５のいずれか一項に記載のスロープ設置構造。
【請求項７】
前記スロープ部材の下面には、スロープ傾斜方向における前記取付部寄りの位置に第１回転体が取り付けられ、
前記スロープ部材は、前記取付部を当該スロープ部材に対して前記収納空間の奥側に位置するようにして当該収納空間に横向きで収納され、その収納状態において前記第１回転体は前記収納空間の下面に載置され、
前記収納空間の下面には、前記第１回転体とともに前記スロープ部材を下方から支持する第２回転体が取り付けられ、
前記第２回転体は、前記第１回転体と前記収納空間の奥行き方向に並ばない位置に配置され、
前記第１回転体及び前記第２回転体は、前記スロープ部材が前記収納空間から前記開口部を通じて引き出される際にそれぞれ回転するようになっていることを特徴とする請求項５又は６に記載のスロープ設置構造。
【請求項８】
前記第１回転体は、前記スロープ部材によるスロープ形成状態では、前記下床部の床面に載置され当該スロープ部材を下方から支持することを特徴とする請求項７に記載のスロープ設置構造。
【請求項９】
前記段差部には、前記上がり框を下方から支持する框支持部が設けられており、
前記上がり框は、その長手方向に分割された複数の分割框部を有し、
前記複数の分割框部には、前記上がり框の両端側に設けられ前記框支持部に固定された一対の第１框部と、それら各第１框部の間に設けられ前記框支持部に非固定とされた第２框部とが含まれており、
前記第２框部は、前記所定位置としての前記各第１框部の間から退避可能とされていることを特徴とする請求項１乃至８のいずれか一項に記載のスロープ設置構造。
【請求項１０】
前記各第１框部は、前記上床部の前記端部から離間した位置で互いに近づく側に突出する突出部を有し、
前記第２框部は、その両端側に、前記端部と前記突出部との間の離間部分に入り込む入り込み部を有し、
前記各入り込み部の前記離間部分への入り込みにより、前記第２框部が前記所定位置に着脱可能に取り付けられていることを特徴とする請求項９に記載のスロープ設置構造。
【請求項１１】
前記下床部は、建物出入口を挟んで屋内外に跨がる土間床からなり、
前記上がり框は、前記建物出入口の幅方向と交差する方向に延びており、
前記スロープ部材は、スロープ形成時に、前記上床部から前記下床部へと前記建物出入口を通じて平面視円弧状に延びる形状を有していることを特徴とする請求項１乃至１０のいずれか一項に記載のスロープ設置構造。
【発明の詳細な説明】
【技術分野】
【０００１】
本発明は、下床部と上床部との間に板状のスロープ部材を斜めに架け渡すことでスロープを形成するスロープ設置構造に関するものである。
【背景技術】
【０００２】
住宅等の建物では、玄関の床部と廊下の床部との間に段差があるため、例えば車椅子で玄関口から出入りする際には上記の段差が障害となる。そこで、そのような場合には、玄関の床部と廊下の床部とを繋ぐスロープを使用して出入りすることが行われている。
【０００３】
特許文献１には、玄関床部と廊下床部との間にパネル部材を斜めに架け渡すことでスロープを形成する技術が開示されている。この特許文献１の技術では、廊下床部の床下にパネル部材を収納する収納空間が設けられ、パネル部材を使用する際にその収納空間からパネル部材を引き出しスロープとして使用するようになっている。
【０００４】
特許文献１の技術に関してより具体的には、上記収納空間には、当該空間から出し入れ可能とされたスライド部材が設けられており、そのスライド部材上にパネル部材が連結部材を介して連結された状態で設けられている。連結部材は、スライド部材上のパネル部材を横向き状態と傾斜状態とに移行させる機能を有しており、収納時にはパネル部材が横向き状態とされ、スロープ形成時にはパネル部材が傾斜状態とされるようになっている。
【先行技術文献】
【特許文献】
【０００５】
【特許文献１】特開２００８−１６３７３２号公報
【発明の概要】
【発明が解決しようとする課題】
【０００６】
ところで、上記特許文献１のスロープ構造では、スロープを形成するパネル部材に加え、そのパネル部材と連結されたスライド部材や連結部材等が設けられている。このため、構成が煩雑でありコストの増大等を招くおそれがある。
【０００７】
また、スライド部材や連結部材等を不具備とし、パネル部材だけでスロープを形成することも考えられる。この場合、例えばパネル部材の上端部及び下端部をそれぞれ廊下床部上及び玄関床部上に載置することでパネル部材を各床部に架け渡すことが考えられる。しかしながら、その場合、パネル部材に位置ずれが生じる等、パネル部材を安定した状態で設置するのが困難になるおそれがある。
【０００８】
さらに、玄関床部と廊下床部との間の段差部には一般に上がり框が設けられているため、その上がり框にパネル部材の上端部を取り付けることも考えられる。しかしながら、この場合、上がり框にパネル部材を取り付ける取付部分を設ける必要があるため、上がり框周辺の見栄えが損なわれるおそれがある。
【０００９】
本発明は、上記事情に鑑みてなされたものであり、簡素な構成でかつ上がり框周辺の見栄えが損なわれるのを回避しながら、安定した状態でスロープを設置することができるスロープ設置構造を提供することを主たる目的とするものである。
【課題を解決するための手段】
【００１０】
上記課題を解決すべく、第１の発明のスロープ設置構造は、互いに異なる高さに設けられた下床部及び上床部の間に斜めに架け渡されることでスロープを形成する板状のスロープ部材を備えるスロープ設置構造であって、前記下床部及び前記上床部の間の段差部には、前記上床部の端部を覆う上がり框が設けられ、前記上がり框は、その少なくとも一部が前記端部を覆う所定位置から退避可能に設けられ、その退避により露出される露出部分には、前記スロープ部材の上端部に設けられた取付部が取り付けられる被取付部が設けられていることを特徴とする。
【００１１】
本発明によれば、上がり框の少なくとも一部が上床部の端部を覆う所定位置から退避可能とされており、その退避によって露出される露出部分に被取付部が設けられている。そして、その被取付部にスロープ部材の上端部に設けられた取付部が取り付けられるようになっている。この場合、スロープ部材の上端部及び下端部を単に上床部上及び下床部上に載置することでスロープ部材を床部間に架け渡す場合と比べ、スロープ部材を安定した状態で設置することができる。また、こうしたスロープ設置構造では、従来技術のように、スライド部材等を設けなくても安定した状態でスロープ部材を床部間に架け渡すことができるため、構成の簡素化を図ることができる。さらに、被取付部は通常は上がり框により覆われているため、被取付部により上がり框周辺の見栄えが損なわれるのを回避することができる。よって、以上より、簡素な構成でかつ上がり框周辺の見栄えが損なわれるのを回避しながら、安定した状態でスロープを設置することができる。
【００１２】
第２の発明のスロープ設置構造は、第１の発明において、前記被取付部は前記上床部の前記端部であり、前記取付部は、前記端部が挿入される挿入溝部を有し、その挿入溝部に前記端部を挿入させることで当該端部に取り付けられることを特徴とする。
【００１３】
本発明によれば、スロープ部材の取付部が挿入溝部を有している。この場合、その挿入溝部に上床部の端部を挿入させるといった簡単な作業で取付部を上記端部に取り付けることができる。また、取付部が上床部の端部（被取付部）に取り付けられるため、被取付部を別途設ける必要がなく、構成の簡素化を図ることができる。
【００１４】
第３の発明のスロープ設置構造は、第１又は第２の発明において、前記下床部には、前記スロープ部材の下端部の位置ずれを規制する規制部が設けられていることを特徴とする。
【００１５】
本発明によれば、下床部に設けられた規制部によりスロープ部材の下端部の位置ずれが規制されるため、スロープ部材をより一層安定した状態で設置することができる。
【００１６】
第４の発明のスロープ設置構造は、第１乃至第３のいずれかの発明において、前記下床部は、建物出入口を挟んだ屋内外に跨がる土間床からなり、前記スロープ部材は、前記建物出入口を通じて前記下床部と前記上床部とに架け渡されて設けられることを特徴とする。
【００１７】
本発明によれば、スロープ部材が建物出入口を通じて下床部と上床部との間に斜めに架け渡されるため、スロープ部材の長さを長くすることができる。これにより、スロープ部材の傾斜を緩くすることができるため、スロープ上を移動するユーザの負担を軽減させることが可能となる。
【００１８】
また、本発明を第３の発明に適用した場合、規制部が下床部において建物出入口よりも屋外側に設けられるため、規制部により屋内の床の見栄えが損なわれるのを回避することができる。
【００１９】
第５の発明のスロープ設置構造は、第１乃至第４のいずれかの発明において、前記上床部の床下には、前記スロープ部材を収納可能な収納空間が形成されており、前記収納空間は、前記段差部に設けられた開口部を介して前記下床部の床上空間に開口しており、前記上がり框には、前記上床部よりも下方に延出する延出部が設けられ、前記収納空間において前記スロープ部材を前記上床部の下面に対向させた状態で支持する支持部を有しており、前記支持部は、前記スロープ部材を前記延出部と同じ高さ位置で支持することを特徴とする。
【００２０】
本発明によれば、スロープ部材の未使用時には、上床部の床下に形成された収納空間にスロープ部材を収納することができる。また、スロープ部材の使用時には、開口部を通じてスロープ部材を下床部の床上空間に引き出すことができる。これにより、スロープ部材の使い勝手を良いものとすることができる。
【００２１】
また、スロープ部材は収納空間において支持部により支持され、その支持状態において上がり框の延出部と同じ高さ位置に配置される。この場合、スロープ部材は延出部により下床部の床上空間側から覆い隠された状態となるため、スロープ部材が上記床上空間側から見えてしまうのを防止できる。
【００２２】
第６の発明のスロープ設置構造は、第１乃至第５のいずれかの発明において、前記上床部の床下には、前記スロープ部材を収納可能な収納空間が形成されており、前記収納空間は、前記段差部に設けられた開口部を介して前記下床部の床上空間に開口しており、前記上がり框には、前記開口部を閉鎖するための閉鎖板が一体で設けられていることを特徴とする。
【００２３】
本発明によれば、上床部の床下に収納空間が設けられているため、上記第５の発明と同様の効果を得ることができる。また、上がり框には、収納空間の開口部を閉鎖する閉鎖板が一体で設けられているため、スロープ部材の収納時にスロープ部材が開口部を通じて見えてしまうのを確実に防止することができる。
【００２４】
第７の発明のスロープ設置構造は、第５又は第６の発明において、前記スロープ部材の下面には、スロープ傾斜方向における前記取付部寄りの位置に第１回転体が取り付けられ、前記スロープ部材は、前記取付部を当該スロープ部材に対して前記収納空間の奥側に位置するようにして当該収納空間に横向きで収納され、その収納状態において前記第１回転体は前記収納空間の下面に載置され、前記収納空間の下面には、前記第１回転体とともに前記スロープ部材を下方から支持する第２回転体が取り付けられ、前記第２回転体は、前記第１回転体と前記収納空間の奥行き方向に並ばない位置に配置され、前記第１回転体及び前記第２回転体は、前記スロープ部材が前記収納空間から前記開口部を通じて引き出される際にそれぞれ回転するようになっていることを特徴とする。
【００２５】
本発明によれば、スロープ部材を収納空間から下床部の床上空間に引き出す際、スロープ部材を下方から支持する第１回転体及び第２回転体がそれぞれ回転するため、スロープ部材をスムーズに引き出すことができる。これにより、スロープ部材の引き出し作業を容易に行うことができる。
【００２６】
また、スロープ部材は収納空間において取付部が奥側となるようにして収納されているため、スロープ部材を引き出した際、取付部が段差部側を向いた状態となる。また、スロープ部材を収納空間から引き出すと、スロープ部材は第２回転体から脱落するため、当該スロープ部材の下面に取り付けられた第１回転体のみにより支持される状態となる。ここで、第１回転体は、スロープ部材において取付部寄りに配置されているため、この際、スロープ部材は取付部側（換言すると段差部側）に向けて上方傾斜する傾斜状態となる。この傾斜状態は、スロープ形成時における傾斜状態と近い状態（又は同じ状態）であるため、この場合、スロープ部材の取付部を被取付部に取り付ける作業をし易くできる等、スロープ部材の設置作業を容易とすることが可能となる。
【００２７】
第８の発明のスロープ設置構造は、第７の発明において、前記第１回転体は、前記スロープ部材によるスロープ形成状態では、前記下床部の床面に載置され当該スロープ部材を下方から支持することを特徴とする。
【００２８】
本発明によれば、スロープ部材が下床部と上床部との間に架け渡されるスロープ形成状態では、スロープ部材が回転体により下方から支持される。これにより、スロープ部材を安定した状態で設置することができる。また、スロープ部材を収納空間から出し入れする際に用いる回転体をスロープ部材の支持部として用いることで、部品点数の増加を伴うことなく上記の効果を得ることができる。
【００２９】
第９の発明のスロープ設置構造は、第１乃至第８のいずれかの発明において、前記段差部には、前記上がり框を下方から支持する框支持部が設けられており、前記上がり框は、その長手方向に分割された複数の分割框部を有し、前記複数の分割框部には、前記上がり框の両端側に設けられ前記框支持部に固定された一対の第１框部と、それら各第１框部の間に設けられ前記框支持部に非固定とされた第２框部とが含まれており、前記第２框部は、前記所定位置としての前記各第１框部の間から退避可能とされていることを特徴とする。
【００３０】
本発明によれば、上がり框が、その長手方向の両端側に設けられた一対の第１框部と、それら各第１框部の間に設けられた第２框部とに分割されている。この場合、第１框部が框支持部上に固定されている一方で、第２框部が框支持部上に非固定とされていることで、第２框部が各第１框部の間から退避可能とされている。この場合、上がり框両端における壁との接合部に影響を与えることなく、上がり框の一部を退避可能とすることができる。
【００３１】
第１０の発明のスロープ設置構造は、第９の発明において、前記各第１框部は、前記上床部の前記端部から離間した位置で互いに近づく側に突出する突出部を有し、前記第２框部は、その両端側に、前記端部と前記突出部との間の離間部分に入り込む入り込み部を有し、前記各入り込み部の前記離間部分への入り込みにより、前記第２框部が前記所定位置に着脱可能に取り付けられていることを特徴とする。
【００３２】
本発明によれば、第２框部が、各第１框部の突出部と上床部の端部との間の離間部分に入り込む一対の入り込み部を有しており、それら各入り込み部の入り込みによって所定位置から着脱可能（ひいては退避可能）とされている。この場合、第１框部の突出部と第２框部の入り込み部とよって、つまり上がり框自身によって着脱可能な構成が実現されているため、上がり框を着脱可能とする上で別途取付部材を設ける等しなくてもよく、構成の簡素化を図ることができる。
【００３３】
第１１の発明のスロープ設置構造は、第１乃至第１０のいずれかの発明において、前記下床部は、建物出入口を挟んで屋内外に跨がる土間床からなり、前記上がり框は、前記建物出入口の幅方向と交差する方向に延びており、前記スロープ部材は、スロープ形成時に、前記上床部から前記下床部へと前記建物出入口を通じて平面視円弧状に延びる形状を有していることを特徴とする。
【００３４】
本発明によれば、スロープ部材が円弧状に形成されているため、上がり框が建物出入口の幅方向と交差する方向に延びている場合でも、スロープ部材を下床部と上床部とに建物出入口を通じて架け渡すことが可能となる。
【図面の簡単な説明】
【００３５】
【図１】建物における玄関周辺の間取りを示す平面図。
【図２】玄関及び廊下の床部周辺の構成を示す縦断面図であり、（ａ）がスロープ部材の収納状態を示しており、（ｂ）がスロープ部材によるスロープ形成状態を示している。
【図３】（ａ）が玄関及び廊下の床部周辺を示す斜視図であり、（ｂ）が（ａ）において上がり框の一部を取り外した状態を示す斜視図である。
【図４】スロープ部材によるスロープ形成状態を拡大して示す縦断面図。
【図５】他の実施形態における玄関及び廊下の床部周辺を示す斜視図。
【図６】他の実施形態におけるスロープ部材の上端部の取付構成を示す縦断面図。
【図７】他の実施形態における建物の玄関周辺の間取りを示す平面図。
【図８】他の実施形態におけるスロープ部材の平面図。
【発明を実施するための形態】
【００３６】
以下に、本発明を具体化した一実施の形態について図面を参照しつつ説明する。図１は、建物における玄関周辺の間取りを示す平面図である。なお、本実施形態では、建物内に車椅子を利用する居住者が居住していることを想定している。
【００３７】
図１に示すように、住宅等の建物１０には、屋内空間として、玄関１１と廊下１２と居室１３，１４とが設けられている。玄関１１には、建物出入口としての玄関口１６が設けられており、その玄関口１６には玄関扉１７が設けられている。玄関扉１７は、例えば開き戸からなる。なお、玄関扉１７は、引き戸であってもよい。また、玄関１１の屋外側には玄関ポーチ１８が隣接して設けられている。玄関ポーチ１８は、玄関口１６を介して玄関１１に通じている。これにより、玄関ポーチ１８（ひいては屋外）から玄関口１６を通じて建物１０内への出入りが可能となっている。
【００３８】
廊下１２は、玄関１１に隣接して設けられている。廊下１２は、玄関１１を挟んで玄関口１６とは反対側に設けられている。廊下１２を挟んだ両側には各居室１３，１４が設けられている。居室１３は仕切壁２１により廊下１２と仕切られており、居室１４は仕切壁２２により廊下１２と仕切られている。仕切壁２１には、廊下１２から居室１３へ出入りするための出入口２４が設けられ、その出入口２４にはドア２５が設けられている。
【００３９】
続いて、玄関１１及び廊下１２の床部周辺の構成について図２を用いながら説明する。図２は、玄関１１及び廊下１２の床部周辺の構成を示す縦断面図である。なお、図２において（ａ）がスロープ部材４５の収納状態を示しており、（ｂ）がスロープ部材４５によるスロープ形成状態を示している。また、図２（ａ）及び（ｂ）は図１のＡ−Ａ線断面図に相当する。
【００４０】
図２（ａ）に示すように、玄関１１の床部２６は、地盤上に打設された土間コンクリート２８と、その土間コンクリート２８の上に設けられたモルタル層２９とにより形成されている。床部２６はいわゆる土間床となっており、その床面２６ａがモルタル層２９により形成されている。
【００４１】
玄関ポーチ１８の床部２７は、玄関１１の床部２６と同様、地盤上に打設された土間コンクリート２８とその上に設けられたモルタル層２９とにより形成されている。したがって、床部２７も玄関１１の床部２６と同様、土間床となっており、その床面２７ａがモルタル層２９により形成されている。
【００４２】
玄関１１の床部２６と玄関ポーチ１８の床部２７とは互いに連続させて設けられている。これら各床部２６，２７の境界部には、その境界部に沿って基礎３１（布基礎）が設けられ、その基礎３１を挟んだ両側に各床部２６，２７の土間コンクリート２８が配置されている。そして、それら各土間コンクリート２８の上面と基礎３１の上面とに跨がってモルタル層２９が連続して設けられている。なお、この場合、玄関１１の床部２６と玄関ポーチ１８の床部２７とにより「下床部」が構成されている。また、玄関１１及び玄関ポーチ１８が「下床部の床上空間」に相当する。
【００４３】
詳しくは、モルタル層２９の上面（下床部の床面）には、玄関口１６に沿って段差部３２が形成されている。この段差部３２により玄関１１の床面２６ａが玄関ポーチ１８の床面２７ａよりも若干高い位置に設定されている。これにより、玄関ポーチ１８側（屋外側）から玄関１１側に雨水が床面に沿って浸入することが抑制されている。
【００４４】
廊下１２の床部３３は、玄関１１の床部２６よりも高い位置に設けられている。廊下１２の床部３３は、床下地材３４と、その床下地材３４の上に敷設された床仕上げ材３５とを備える。床下地材３４は、例えばパーティクルボードからなり、床仕上げ材３５は、例えばフローリングからなる。床仕上げ材３５の上面により廊下１２の床面３３ａが形成されている。また、床部３３の下方には基礎３６（布基礎）が設けられ、その基礎３６により床部３３が下方から支持されている。なお、廊下１２の床部３３が上床部に相当する。
【００４５】
玄関１１の床部２６と廊下１２の床部３３との間の段差部３９には上がり框４１（玄関框）が設けられている。上がり框４１は、木製の角材により形成され、廊下１２の床部３３の端部３３ｂ（詳しくは玄関１１側の端部３３ｂ）に沿って設けられている。これにより、上がり框４１により床部３３の端部３３ｂが玄関１１側から覆い隠されている。また、上がり框４１は、その上面を床部３３の床面３３ａと同じ高さ位置にして配置され、その配置状態において一部が床部３３よりも下方に延出して延出部４２となっている。
【００４６】
廊下１２の床部３３の下方、すなわち床部３３の床下には床下空間４３が形成されている。この床下空間４３は、後述するスロープ部材４５を収納する収納空間４３となっている。収納空間４３の下方には、玄関１１の床部２６を形成する土間コンクリート２８及びモルタル層２９がそれぞれ延在している。つまり、床部２６を形成する土間コンクリート２８及びモルタル層２９は玄関１１と収納空間４３とに跨がって設けられており、そのモルタル層２９により収納空間４３の下面４３ａが形成されている。したがって、収納空間４３の下面４３ａと玄関１１の床面２６ａとは面一の状態で連続して形成されている。また、収納空間４３は、段差部３９に設けられた開口部４４を介して玄関１１に開口している。
【００４７】
収納空間４３には、スロープ部材４５が収納されている。スロープ部材４５は、玄関ポーチ１８の床部２７と廊下１２の床部３３との間に斜めに架け渡されることでスロープを形成するものである（図２（ｂ）参照）。本建物１０では、このスロープ部材４５によりスロープを形成することで、車椅子の利用者が玄関口１６を通じて建物１０への出入りを行う際、スロープを通って出入りすることが可能となっている。以下、このスロープ部材４５について説明する。
【００４８】
スロープ部材４５は、図２（ｂ）に示すように、玄関ポーチ１８の床部２７と廊下１２の床部３３とに斜めに架け渡されて設置される。本実施形態では、このスロープ部材４５の設置に際し、スロープ部材４５の上端側が床部３３の端部３３ｂに取り付けられるようになっている。この端部３３ｂは、通常は上がり框４１によって玄関１１側から覆い隠されている（図２（ａ）参照）。そこで、本実施形態では、上がり框４１の一部を着脱可能とし、その一部を取り外すことで床部３３の端部３３ｂを露出させ、そして、その露出させた端部３３ｂにスロープ部材４５の上端側を取り付けるようにしている。そこで、以下では、スロープ部材４５の説明を行うのに先立ち、上がり框４１の一部を着脱可能とする構成について図３を用いながら説明する。図３は、（ａ）が玄関１１及び廊下１２の床部周辺を示す斜視図であり、（ｂ）が（ａ）において上がり框４１の一部を取り外した状態を示している。なお、図３中の符号４９は、仕切壁２１と床部３３との境界を覆う巾木４９である。
【００４９】
図３（ａ）に示すように、上がり框４１は、その下方に設けられた基礎部４７の上に載置された状態で設けられている。基礎部４７は、上がり框４１の長手方向の両端側にそれぞれ配置され、上記長手方向に沿って延びている。基礎部４７は布基礎により構成され、詳しくは布基礎において玄関１１の床部２６よりも上方に立ち上がった部分が基礎部４７となっている。なお、基礎部４７は、必ずしも布基礎で形成する必要はなく、例えば床部２６上にコンクリートブロックを設置する等して形成してもよい。また、基礎部４７が框支持部に相当する。
【００５０】
上がり框４１は、各基礎部４７の上に跨がって設けられている。上がり框４１は、その長手方向において複数に分割されており、それにより、同方向の両端部に設けられた一対の固定部４１ａと、各固定部４１ａの間に設けられた着脱部４１ｂとを有している。各固定部４１ａはそれぞれ基礎部４７上に載置され、当該基礎部４７に対して固定されている。その固定状態において、各基礎部４７は、互いに近づく側に向かって上方の固定部４１ａよりも延出する延出部分４７ａを有している。着脱部４１ｂは、それら各基礎部４７の延出部分４７ａの上に跨がる状態で配置され、その配置状態においてそれら各基礎部４７に非固定とされている。なお、各固定部４１ａがそれぞれ第１框部に相当し、着脱部４１ｂが第２框部に相当する。
【００５１】
各固定部４１ａは、床部３３の端部３３ｂから離間した位置で互いに近づく側へ（換言すると着脱部４１ｂ側に）突出する突出部４６を有する。一方、着脱部４１ｂは、その長手方向の両端側にそれぞれ、固定部４１ａの突出部４６と床部３３の端部３３ｂとの離間部分５３に入り込む入り込み部４８を有している。これら各入り込み部４８が離間部分５３に入り込むことで、着脱部４１ｂが各固定部４１ａの間に着脱可能に設けられている。なお、この場合、各固定部４１ａの間が床部３３の端部３３ｂを覆う所定位置に相当する。着脱部４１ｂは、各固定部４１ａの間に上方から各突出部４６を離間部分５３にはめこむことで取り付けられる。そして、着脱部４１ｂは、各固定部４１ａの間から上方に持ち上げられることでそれら固定部４１ａの間から取り外される（図３（ｂ）参照）。着脱部４１ｂが取り外された状態では、床部３３の端部３３ｂが玄関１１側に露出された状態とされる。
【００５２】
突出部４６及び入り込み部４８についてより詳しくは、それら突出部４６及び入り込み部４８において互いに対向する各対向面４６ａ，４８ａは、上がり框４１の長手方向と直交する面（鉛直面）に対して傾斜された傾斜面（鉛直面）とされている。各対向面４６ａ，４８ａは、（平面視において）上がり框４１の長手方向と直交する方向の全域に亘って形成され、床部３３の端部３３ｂに近づくにつれて、固定部４１ａ及び着脱部４１ｂの並ぶ並び方向における固定部４１ａ側に移行するよう傾斜されている。
【００５３】
着脱部４１ｂが取り外された状態では、段差部３９において玄関１１の床部２６と廊下１２の床部３３（端部３３ｂ）との間に開口部が形成される。この開口部は、上述した収納空間４３の開口部４４である。開口部４４は、互いに離間された各基礎部４７の間に形成されている。
【００５４】
続いて、スロープ部材４５の設置構成について図４を用いながら説明する。図４は、スロープ部材４５によるスロープ形成状態を拡大して示す縦断面図である。
【００５５】
図４に示すように、スロープ部材４５は、金属製の板材により矩形形状に形成され、詳しくは長方形板状に形成されている（図１も参照）。スロープ部材４５は、その長手方向を傾斜方向として玄関ポーチ１８の床部２７と廊下１２の床部３３との間に斜めに架け渡されて設置されている。この場合、スロープ部材４５は、玄関口１６を通じて各床部２７，３３間に架け渡されている。なお、スロープ部材４５は必ずしも金属製の板材で形成する必要はなく、木製の板材や樹脂製の板材等で形成してもよい。
【００５６】
スロープ部材４５の上端部には、廊下１２の床部３３に取り付けられる床取付部５１が設けられ、スロープ部材４５の下端部には、玄関ポーチ１８の床部２７に係合される床係合部５２が設けられている。スロープ部材４５は、床取付部５１が床部３３に取り付けられ、かつ、床係合部５２が床部２７に係合された状態で、各床部２７，３３間に架け渡されるようになっている。なお、床取付部５１が「取付部」に相当する。
【００５７】
床取付部５１は、鋼板によりコ字状に形成され、スロープ部材４５の幅方向に所定の間隔をおいて複数（例えば一対）取り付けられている。床取付部５１は、スロープ部材４５におけるスロープ傾斜方向の上端面４５ａに固定された固定板部５１ａと、その固定板部５１ａを挟んで上下両側に設けられた一対のフランジ板部５１ｂ，５１ｃとを有する。スロープ部材４５の上端面４５ａは、スロープ部材４５によるスロープ形成時に鉛直面となるようスロープ部材４５の板面に対して傾斜させて形成されており、その上端面４５ａに固定板部５１ａが溶接等により固定されている。
【００５８】
各フランジ板部５１ｂ，５１ｃは、固定板部５１ａに対してスロープ部材４５とは反対側に延びている。これにより、床取付部５１において各板部５１ａ〜５１ｃにより囲まれた内側の溝部５１ｄがスロープ部材４５とは反対側に向けて開放されている。なお、この溝部５１ｄが「挿入溝部」に相当する。
【００５９】
床取付部５１は、その溝部５１ｄに床部３３の端部３３ｂを挿入させた状態で当該端部３３ｂに取り付けられている。この場合、溝部５１ｄの上下幅は床部３３の厚みと同じか又はそれよりも若干大きくされている。そのため、溝部５１ｄに床部３３の端部３３ｂがいわば嵌め込まれた状態となっており、それにより、床取付部５１が当該端部３３ｂに着脱可能に取り付けられている。また、溝部５１ｄを挟んだ両側の各フランジ板部５１ｂ，５１ｃのうち、下側のフランジ板部５１ｃは上側のフランジ板部５１ｂよりもフランジ長さが短くされている。それにより、溝部５１ｄに床部３３の端部３３ｂを挿入して床取付部５１を当該端部３３ｂに取り付ける作業がし易くなっている。なお、床部３３の端部３３ｂが「被取付部」に相当する。
【００６０】
続いて、スロープ部材４５の下端側の構成について説明する。スロープ部材４５は、その下端部を玄関ポーチ１８の床部２７に載置させた状態で設けられている。スロープ部材４５は、床部２７上に載置される載置面４５ｂを有している。載置面４５ｂは、スロープ部材４５によるスロープ形成時に水平面となるように、スロープ部材４５の板面に対して傾斜させて形成されている。これにより、スロープ部材４５によるスロープ形成時には、その載置面４５ｂ全体が床部２７上に載置されるようになっている。このため、板状のスロープ部材４５を用いてスロープを形成する構成にあっても、スロープ部材４５を安定した状態で床部２７上に載置することが可能となっている。
【００６１】
床係合部５２は、鋼板によりへの字状に形成され、スロープ部材４５の幅方向に所定の間隔をおいて複数（例えば一対）設けられている。床係合部５２は、スロープ部材４５の上面（上側の板面）に溶接等により固定された固定板部５２ａと、その固定板部５２ａの下端部から下方に延びる係合板部５２ｂとを有する。固定板部５２ａは、スロープ傾斜方向においてスロープ部材４５よりも下側に延びており、その延びた部分から係合板部５２ｂがスロープ部材４５よりも下方へと延びている。なお、床係合部５２は、必ずしも複数設ける必要はなく、例えばスロープ部材４５の幅方向中央部に１つだけ設けるようにしてもよい。
【００６２】
玄関ポーチ１８の床部２７には、その床面２７ａに係合板部５２ｂが入り込む溝部５５が形成されている。溝部５５は、各床係合部５２（係合板部５２ｂ）に対応させて複数（例えば一対）設けられている。この溝部５５に係合板部５２ｂが入り込むことで、係合板部５２ｂが溝部５５に係合され、その係合によりスロープ部材４５の下端部が床部２７に対し位置ずれすることが規制されている。なお、この場合、溝部５５が規制部に相当する。
【００６３】
スロープ部材４５の下面には、回転体５６が取り付けられている。回転体５６は、キャスタにより構成され、その回転軸がスロープ部材４５の幅方向に延びる向きで取り付けられている。回転体５６は、スロープ部材４５の幅方向に所定の間隔で一対設けられている（図１も参照）。これら各回転体５６は、スロープ部材４５の長手方向（換言するとスロープ傾斜方向）において上側（換言すると床取付部５１側）に配置されており、玄関１１の床部２６上に載置されている。したがって、スロープ部材４５によるスロープ形成時において、これら各回転体５６はスロープ部材４５を下方から支持するスロープ支持部となる。なお、これら各回転体５６がそれぞれ第１回転体に相当する。
【００６４】
続いて、スロープ部材４５を収納空間４３に収納する際の収納構造について説明する。
【００６５】
図２（ａ）に示すように、スロープ部材４５は、その長手方向を収納空間４３の奥行き方向に向けて当該収納空間４３に横向きで収納されている。この場合、スロープ部材４５は、床取付部５１をスロープ部材４５に対して収納空間４３の奥側に、床係合部５２をスロープ部材４５に対して収納空間４３の手前側（開口部４４側）に位置するようにして収納されている。また、この収納状態において、スロープ部材４５の各回転体５６は収納空間４３の下面４３ａに載置されている。
【００６６】
収納空間４３の下面４３ａには、回転体５７が取り付けられている。回転体５７は、回転体５６と同様、キャスタにより構成され、例えば回転体５６と同じキャスタからなる。回転体５７は、その回転軸が収納空間４３の幅方向に延びる向きで配置されている。回転体５７は、収納空間４３の幅方向に所定の間隔をおいて複数（具体的には一対）設けられ、各回転体５６とともにスロープ部材４５を下方から支持している（図１も参照）。この場合、各回転体５６，５７がそれぞれ支持部に相当し、回転体５７が第２回転体に相当する。なお、収納空間４３の幅方向とは、収納空間４３の奥行き方向と直交する方向であり、上がり框４１の長手方向と同方向である。
【００６７】
収納空間４３におけるスロープ部材４５の収納状態では、各回転体５６，５７のうち、回転体５６が収納空間４３の奥側、回転体５７が収納空間４３の手前側（開口部４４側）に位置している。これら各回転体５６，５７によって、スロープ部材４５が横向き状態（換言すると床部３３の下面に対向した状態）で支持されるようになっている。また、各回転体５７はいずれも、収納空間４３の幅方向において各回転体５６と異なる位置に配置されている（図１参照）。つまり、各回転体５７は、各回転体５６と収納空間４３の奥行き方向に並ばないように配置されている。
【００６８】
スロープ部材４５は、各回転体５６，５７により支持されることで、上がり框４１の延出部４２と同じ高さ位置に配置されている。これにより、スロープ部材４５は、上がり框４１の延出部４２により玄関１１側から覆い隠された状態で収納空間４３に収納されている。また、スロープ部材４５が延出部４２と同じ高さ位置に配置されていることで、スロープ部材４５が収納空間４３から玄関１１側に移動してしまうことが防止されている。つまり、延出部４２がスロープ部材４５の移動を阻止するストッパとして機能している。スロープ部材４５が回転体５６，５７により支持されている構成では、スロープ部材４５が移動し易くなっているため、こうしたストッパは有効となる。
【００６９】
スロープ部材４５をスロープとして使用する際には、スロープ部材４５を収納空間４３から開口部４４を通じて玄関１１側に引き出し、その後、スロープ部材４５を玄関ポーチ１８の床部２７と廊下１２の床部３３との間に架け渡すことになる。そこで、以下では、その際の作業内容について説明する。
【００７０】
まず、上がり框４１の着脱部４１ｂを各固定部４１ａの間から取り外す作業を行う。着脱部４１ｂが取り外されると、床部３３の端部３３ｂが露出された状態となる。次に、スロープ部材４５を収納空間４３から玄関１１側に開口部４４を通じて引き出す作業を行う。スロープ部材４５は、上述したように、各回転体５６，５７により支持された状態で収納されているため、スロープ部材４５を収納空間４３から引き出す際には各回転体５６，５７がそれぞれ回転する。このため、スロープ部材４５を玄関１１側にスムーズに引き出すことができ、スロープ部材４５の引き出し作業を容易に行うことが可能となっている。
【００７１】
スロープ部材４５を収納空間４３から玄関１１側に引き出すと、スロープ部材４５は収納空間４３に設けられた回転体５７から脱落して、当該スロープ部材４５の下面に取り付けられた回転体５６のみにより支持される状態となる。ここで、回転体５６は、スロープ部材４５において長手方向の床取付部５１側に配置されているため、この際、スロープ部材４５は床取付部５１側に向けて上方傾斜する傾斜状態とされる。この傾斜状態は、スロープ部材４５によるスロープ形成時の傾斜状態と同じ傾斜状態（傾斜向き）である。
【００７２】
続いて、スロープ部材４５の床取付部５１を床部３３の端部３３ｂに取り付けるとともに、スロープ部材４５の床係合部５２を床部２７の溝部５５に係合させることで、スロープ部材４５を各床部２７，３３間に架け渡して設置する設置作業を行う。この設置作業に際し、スロープ部材４５は上述のように上方傾斜した状態とされているため、床取付部５１を床部３３の端部３３ｂに取り付ける作業がし易くなっている等、スロープ部材４５の設置作業を容易に行うことが可能となっている。
【００７３】
以上、詳述した本実施形態の構成によれば、以下の優れた効果が得られる。
【００７４】
上がり框４１の一部を着脱可能な着脱部４１ｂとすることで、その着脱部４１ｂを床部３３の端部３３ｂを覆う所定位置から退避可能とした。そして、その退避により露出される床部３３の端部３３ｂにスロープ部材４５の床取付部５１を取り付けるようにした。この場合、スロープ部材４５の上端部及び下端部を単に各床部２７，３３上に載置することでスロープ部材４５を床部２７，３３間に架け渡す場合と比べ、スロープ部材４５を安定した状態で設置することができる。
【００７５】
また、こうしたスロープ部材４５の設置構成によれば、従来技術（上記特許文献１）のように、スライド部材等を設けなくても安定した状態でスロープ部材４５を床部２７，３３間に架け渡すことができるため、構成の簡素化を図ることができる。
【００７６】
さらに、床取付部５１が取り付けられる床部３３の端部３３ｂ（被取付部）は通常は上がり框４１（着脱部４１ｂ）により覆われているため、被取付部が露出することで上がり框周辺の見栄えが損なわれるのを回避することができる。よって、以上より、簡素な構成でかつ上がり框４１周辺の見栄えが損なわれるのを回避しながら、安定した状態でスロープを設置することができる。
【００７７】
スロープ部材４５の床取付部５１に溝部５１ｄを設け、その溝部５１ｄに床部３３の端部３３ｂを嵌め込むことで床取付部５１を当該端部３３ｂに取り付けるようにしたため、床取付部５１を比較的簡単な作業で床部３３側に取り付けることができる。また、床取付部５１を床部３３の端部３３ｂ（被取付部）に取り付けるようにしたため、被取付部を別途設ける必要がなく、その分構成の簡素化を図ることができる。
【００７８】
スロープ部材４５の床取付部５１を床部３３に取り付けることに加え、床係合部５２を床部２７の溝部５５に係合させ、それによりスロープ部材４５の下端部の位置ずれを規制するようにした。これにより、スロープ部材４５をより一層安定した状態で設置することができる。
【００７９】
スロープ部材４５を玄関口１６を通じて廊下１２の床部３３と玄関ポーチ１８の床部２７との間に斜めに架け渡したため、スロープ部材４５の長さを長くすることができる。これにより、スロープ部材４５の傾斜を緩くすることができるため、スロープ上を車椅子で移動する際の負担を軽減させることが可能となる。
【００８０】
また、この場合、床係合部５２を係合させる溝部５５を屋外側の玄関ポーチ１８の床部２７に設ければよいため、溝部により屋内（玄関１１）の床部２６の見栄えが損なわれるのを回避することができる。
【００８１】
さらに、この場合、モルタル層２９の上面（下床部の床面に相当）に玄関口１６に沿って形成された段差部３２上を跨いでスロープ部材４５を設置できるため、車椅子で移動するに際し段差部３２の上を通る必要がなくなる。そのため、その点でも好都合となる。
【００８２】
スロープ部材４５を収納空間４３において各回転体５６，５７により下方から支持した状態で収納し、そして、その支持状態でスロープ部材４５を上がり框４１の延出部４２と同じ高さ位置に配置した。この場合、スロープ部材４５が延出部４２により玄関１１側から覆い隠された状態となるため、スロープ部材４５を玄関１１側から見えてしまうのを防止することができる。なお、スロープ部材４５を延出部４２と同じ高さ位置に配置する上では、必ずしもスロープ部材４５を回転体５６，５７により支持する必要はなく、回転体５６，５７以外の支持部で支持するようにしてもよい。例えば、かかる支持部としては、収納空間４３の下面４３ａ上に固定されたスペーサ部材が考えられる。
【００８３】
上がり框４１を、その長手方向の両端側に設けられた一対の固定部４１ａと、それら各固定部４１ａの間に設けられた着脱部４１ｂとに分割し、そして各固定部４１ａを基礎部４７上に固定する一方で、着脱部４１ｂを基礎部４７上に非固定とした。そして、それによって、着脱部４１ｂを床部３３の端部３３ｂを覆う所定位置（換言すると各固定部４１ａの間）から着脱可能とした。この場合、上がり框４１両端における仕切壁２１，２２との接合部に影響を与えることなく、上がり框４１の一部を所定位置から退避可能とすることができる。
【００８４】
各固定部４１ａに、床部３３の端部３３ｂから離間した位置で互いに近づく側に突出する突出部４６を設け、着脱部４１ｂの長手方向の両端側に、床部３３の端部３３ｂと突出部４６との離間部分５３に入り込む入り込み部４８を設けた。そして、各入り込み部４８を離間部分５３に入り込ませることで、着脱部４１ｂを各固定部４１ａの間から着脱可能とした。この場合、固定部４１ａの突出部４６と着脱部４１ｂの入り込み部４８とよって、つまり上がり框４１自身によって着脱可能な構成が実現されているため、上がり框４１を着脱可能とする上で別途取付部材を設ける等しなくてもよく、構成の簡素化を図ることができる。
【００８５】
本発明は上記実施形態に限らず、例えば次のように実施されてもよい。
【００８６】
（１）上がり框４１を着脱可能とするための構成は必ずしも上記実施形態のものに限らない。例えば、図５に示す構成が考えられる。図５の例では、互いに離間する一対の基礎部４７の上に跨がって長尺の下地材６１が架け渡されている。下地材６１は、例えば木製であり、その上面に複数の突起部６２が下地材６１の長手方向に沿って所定間隔で設けられている。下地材６１の上には、上がり框６４が設けられている。上がり框６４は、断面Ｌ字状の木製の長尺材により形成され、下地材６１の上に載置される載置部６５と、その載置部６５から下方に延びる垂下部６６とを有する。載置部６５は、床部３３と同じ高さ位置に設けられ、床部３３の端部３３ｂを玄関１１側から覆い隠している。垂下部６６は、下地材６１よりも下方に延びており、下地材６１を玄関１１側から覆っている。
【００８７】
上がり框６４は、その長手方向の両端部に設けられた一対の固定部６４ａと、それら各固定部６４ａの間に設けられた着脱部６４ｂとを有する。各固定部６４ａはそれぞれ下地材６１に接着等により固定されている。一方、着脱部６４ｂは下地材６１に対して非固定とされている。着脱部６４ｂには、その載置部６５の下面に下地材６１の各突起部６２に対応して複数の孔部（図示略）が形成されている。着脱部６４ｂの載置部６５が下地材６１上に載置された状態では、各孔部（ほぞ孔）にそれぞれ下地材６１の各突起部６２が嵌め込まれる。これにより、着脱部６４ｂが下地材６１に対して着脱可能に取り付けられている。なお、この場合、各固定部６４ａが第１框部に相当し、着脱部６４ｂが第２框部に相当する。
【００８８】
また、図５の例では、スロープ部材の上端部が突起部６２を利用して取り付けられている。以下、その取付構成を図６に基づいて説明する。図６に示すように、スロープ部材６８には、その上端側に下地材６１上に載置される載置部６８ａが設けられている。載置部６８ａは、スロープ形成時において水平方向に延びる部分である。載置部６８ａには、上下方向に貫通する複数の孔部６９が設けられている。これらの孔部６９は、下地材６１の各突起部６２に対応する位置に設けられている。載置部６８ａは、それら各孔部６９にそれぞれ突起部６２を挿入させた状態（嵌め込んだ状態）で、下地材６１上に載置されている。これにより、載置部６８ａが各突起部６２に取り付けられている。なお、この場合、載置部６８ａが「取付部」に相当し、各突起部６２が「被取付部」に相当する。
【００８９】
さらに、図５の例では、着脱部６４ｂに、開口部４４を閉鎖する閉鎖板７１が取り付けられている。閉鎖板７１は、着脱部６４ｂの長手方向に延びる板材からなり、その長さが各基礎部４７の間の間隔と同じとされている。閉鎖板７１は、着脱部６４ｂの垂下部６６の裏面に取り付けられ、着脱部６４ｂが各固定部６４ａの間に取り付けられると、各基礎部４７の間に配置されるようになっている（図５（ｂ）参照）。この場合、閉鎖板７１により開口部４４が閉鎖され、開口部４４を介してスロープ部材６８が玄関１１側から見えてしまうのを確実に防止することができる。また、閉鎖板７１による閉鎖状態において、閉鎖板７１の（玄関１１側の）板面は各基礎部４７の外面（玄関１１側の面）と面一とされる。
【００９０】
（２）上記実施形態では、上がり框４１の一部（着脱部４１ｂ）を着脱可能としたが、上がり框４１の全部を着脱可能としてもよい。また、上がり框４１は必ずしも着脱可能とする必要はなく、例えば上がり框４１の一部又は全部を動作可能な可動部とし、その可動部を動作させることで当該可動部を床部３３の端部３３ｂを覆う所定位置から退避可能としてもよい。例えば、上がり框の長手方向の端部に回動軸を設け、その回動軸を中心として上がり框（可動部に相当）を上方へ回動可能とする構成が考えられる。この場合、その回動により上がり框を所定位置から退避させることが可能となる。
【００９１】
（３）上記実施形態では、スロープ部材４５を矩形板状としたが、スロープ部材４５を例えば円弧板状としてもよい。その場合の例を図７に示す。図７に示す建物８０には、屋内空間として、玄関８１と、玄関８１に隣接する居室８２とが設けられている。玄関８１には、建物出入口としての玄関口８３が設けられ、玄関口８３には玄関ドア８４が設けられている。玄関ドア８４は、例えば親子ドアからなる。また、玄関８１の屋外側には玄関ポーチ８５が設けられ、玄関ポーチ８５から玄関８１には玄関口８３を介して出入りすることが可能となっている。
【００９２】
玄関８１の床部８１ａと玄関ポーチ８５の床部８５ａとは土間床からなり、互いに連続して設けられている。これら各床部８１ａ，８５ａにより「下床部」が構成されている。居室８２の床部８２ａは、上記各床部８１ａ，８５ａよりも高い位置に設けられている。したがって、この床部８２ａが「上床部」に相当する。玄関８１の床部８１ａと居室８２の床部８２ａとの間には段差部８７が生じており、その段差部８７には上がり框８８が設けられている。上がり框８８は、玄関口８３の幅方向と交差する方向詳しくは直交する方向に延びており、その一部又は全部が着脱可能とされている。なお、図７（ａ）では、上がり框８８が取り付けられた状態が示されており、（ｂ）では上がり框８８が取り外された状態が示されている。
【００９３】
居室８２の床部８２ａの床下には収納空間９２が形成されている。収納空間９２は、段差部８７を介して玄関８１と隣接している。その収納空間９２にはスロープ部材９１が収納されている。スロープ部材９１は、所定幅を有する略円弧状に形成された板材からなる。図８にはそのスロープ部材９１の平面図が示されており、以下この図８に基づきスロープ部材９１の形状について詳しく説明する。
【００９４】
図８に示すように、スロープ部材９１は、スロープ長さ方向において円弧状に延びている。スロープ部材９１は、スロープ幅方向の両側の側縁部９１ａ，９１ｂがそれぞれ円弧状とされている一方、スロープ長さ方向の両側の端縁部９１ｃ，９１ｄがそれぞれ直線状とされている。各側縁部９１ａ，９１ｂはいずれも各端縁部９１ｃ，９１ｄに跨がって延びており、それら各側縁部９１ａ，９１ｂのうち、内側の側縁部９１ａは円周長さの１／４の長さからなる円弧状とされている。したがって、側縁部９１ａの円弧中心Ｃ（側縁部９１ｂの円弧中心でもある）から当該側縁部９１ａの両端に延びる各仮想線のなす角度αが９０°となっている。なお、この角度αは必ずしも９０°でなくてもよい。
【００９５】
各端縁部９１ｃ，９１ｄは互いに直交する方向に延びている。各端縁部９１ｃ，９１ｄのうち一方の端縁部９１ｃ、詳しくはスロープ形成時にスロープ上端部となる端縁部９１ｃは、側縁部９１ａの両端を通る仮想直線Ｈに沿って形成されている。また、他方の端縁部９１ｄ、詳しくはスロープ形成時にスロープ下端部となる端縁部９１ｄは、上記仮想直線Ｈと直交する方向に延びている。
【００９６】
図７（ａ）に示すように、スロープ部材９１は、収納空間９２に横向き状態で収納されている。この場合、スロープ部材９１は、その端縁部９１ｄが上がり框８８に沿って延びる向きで収納される。詳しくは、スロープ部材９１は、上がり框８８の長手方向において、玄関口８３側とは反対側に円弧の凸部が向くように収納される。
【００９７】
スロープ部材９１は、その円弧中心Ｃを回転中心として玄関８１側に回転移動させることで収納空間９２から引き出される。そして、スロープ部材９１は、図７（ｂ）に示すように、玄関ポーチ８５の床部８５ａと居室８２の床部８２ａとの間に玄関口８３を通じて架け渡されることで設置される。この場合、スロープ部材９１は、その端縁部９１ｃが段差部８７に沿って配置され、その端縁部９１ｄが玄関口８３の幅方向に延びる向きで配置される。また、図示は省略するが、スロープ部材９１の設置に際しては、上がり框８８の一部又は全部が取り外され、それにより露出された床部９２ａの端部にスロープ部材９１の床取付部が取り付けられる（図示は省略）。
【００９８】
このように、上がり框８８が玄関口８３の幅方向と直交する方向に延びる構成であっても、スロープ部材９１を円弧状に形成することでスロープ部材９１を各床部８２ａ，８５ａの間に架け渡すことができる。
【００９９】
（４）上記実施形態では、スロープ部材４５の床係合部５２を床部２７の溝部５５（規制部に相当）に係合させることで、スロープ部材４５の下端部の位置規制を行ったが、かかる位置規制を行うための構成は必ずしもこれに限らない。例えば、床部２７の床面２７ａ上にスロープ部材４５の下端部と係合可能な突出部（規制部に相当）を設け、その突出部にスロープ部材４５の下端部を係合させることで位置規制を行ってもよい。この場合、スロープ部材４５に床係合部５２を設ける必要がなくなるため、その分スロープ部材４５側の構成を簡素化できる。
【０１００】
なお、スロープ部材４５の下端部の位置規制は必ずしも行う必要はない。その場合であっても、スロープ部材４５の床取付部５１を床部３３の端部３３ｂに取り付けることで、スロープ部材４５を安定した状態で設置することが可能となる。また、この場合、かかる位置規制のための構成を不具備とすることができるため、その分構成の簡素化を図ることができる。
【０１０１】
（５）上記実施形態では、スロープ部材４５の下面に取り付けた回転体５６と、収納空間４３の下面４３ａに取り付けた回転体５７とにより、スロープ部材４５を下方から支持した状態で収納するようにしたが、これら回転体５６，５７のうち、例えば回転体５７を不具備としてもよい。また、各回転体５６，５７ともに不具備として、スロープ部材４５を収納空間４３の下面４３ａに載置した状態で収納してもよい。
【０１０２】
（６）上記実施形態では、床部３３の床下にスロープ部材４５を収納する専用の収納空間４３を設け、その収納空間４３にスロープ部材４５を収納したが、かかる専用の収納空間４３を設けずに、スロープ部材４５を倉庫等、既設の収納空間に収納するようにしてもよい。また、スロープ部材４５は必ずしも収納空間に収納する必要はなく、玄関１１付近の壁等に立て掛ける等して保管してもよい。
【０１０３】
（７）上記実施形態では、スロープ部材４５を廊下１２の床部３３と玄関ポーチ１８の床部２７との間に架け渡すことでスロープを形成したが、スロープ部材４５を廊下１２の床部３３と玄関１１の床部２６との間に架け渡すことでスロープを形成してもよい。この場合、それに応じてスロープ部材の長さを短くすればよい。
【０１０４】
（８）上記実施形態では、玄関１１の床部２６と廊下１２の床部３３との間の段差部３９に本発明のスロープ設置構造を適用したが、例えば勝手口の土間床と廊下の床部との間に段差が生じている場合に、その段差部に本発明のスロープ設置構造を適用してもよい。
【符号の説明】
【０１０５】
１０…建物、１１…玄関、１２…廊下、１５…建物出入口としての玄関口、１８…玄関ポーチ、３３…上床部としての床部、３３ｂ…被取付部としての端部、４１…上がり框、４１ａ…第１框部としての固定部、４１ｂ…第２框部としての着脱部、４２…延出部、４３…収納空間、４３ａ…下面、４４…開口部、４５…スロープ部材、４６…突出部、４７…框支持部としての基礎部、４８…入り込み部、５１…取付部としての床取付部、５１ｄ…挿入溝部としての溝部、５３…離間部分、５５…規制部としての溝部、５６…支持部及び第１回転体としての回転体、５７…支持部及び第２回転体としての回転体、７１…閉鎖板。
【図１】
2019002181.tif 000003
【図２】
2019002181.tif 000004
【図３】
2019002181.tif 000005
【図４】
2019002181.tif 000006
【図５】
2019002181.tif 000007
【図６】
2019002181.tif 000008
【図７】
2019002181.tif 000009
【図８】
2019002181.tif 000010